(57)【要約】【課題】原稿の読み取りモードに応じて、適切な原稿搬送パスおよび／または画像処理パスを選択し、生産性または画質を重視した画像読み取りを実現する。【解決手段】第１の方向から原稿の第１面の画像データを読み取るスキャナ装置７０と、このスキャナ装置７０による第１の方向とは異なる第２の方向から原稿における第２面の画像データを読み取るＣＩＳ（Ｃｏｎｔａｃｔ  Ｉｍａｇｅ  Ｓｅｎｓｏｒ）５０と、原稿の第２面の画像データについてスキャナ装置７０で読み取るかＣＩＳ５０で読み取るかを決定し、この決定に基づきスキャナ装置７０またはＣＩＳ５０を用いて原稿の第２面の画像データを読み取るための制御を行う処理装置８０とを備えた。【選択図】        図１
2005033465.tif 000002
【特許請求の範囲】
【請求項１】
第１の方向から原稿の第１面の画像データを読み取る第１の読み取り手段と、
前記第１の読み取り手段による前記第１の方向とは異なる第２の方向から原稿における第２面の画像データを読み取る第２の読み取り手段と、
原稿の第２面の画像データについて前記第１の読み取り手段で読み取るか前記第２の読み取り手段で読み取るかを決定する決定手段と、
前記決定手段による決定に基づき前記第１の読み取り手段または前記第２の読み取り手段を用いて原稿の第２面の画像データを読み取る読み取り制御手段と
を含む画像読み取り装置。
【請求項２】
前記第１の読み取り手段により第１面の画像データが読み取られた原稿を反転させる原稿反転手段を更に備え、
前記読み取り制御手段は、前記決定手段により原稿の第２面を前記第１の読み取り手段で読み取ると決定された場合に、前記原稿反転手段により原稿を反転させて当該第１の読み取り手段で第２面を読み取ることを特徴とする請求項１記載の画像読み取り装置。
【請求項３】
原稿の第２面に対する読み取りモードを認識するモード認識手段を更に備えたことを特徴とする請求項１記載の画像読み取り装置。
【請求項４】
前記決定手段は、前記モード認識手段による認識に基づいて、前記第１の読み取り手段および前記第２の読み取り手段の何れかを用いて第２面の画像データを読み取ることを決定することを特徴とする請求項３記載の画像読み取り装置。
【請求項５】
前記第１の読み取り手段により読み取られた画像データを処理する第１の画像処理手段と、
前記第２の読み取り手段により読み取られた画像データを処理する第２の画像処理手段とを更に備え、
前記モード認識手段による認識に基づいて、前記第２の読み取り手段により読み取られた第２面の画像データを前記第１の画像処理手段および前記第２の画像処理手段の両者を用いて処理することを特徴とする請求項３記載の画像読み取り装置。
【請求項６】
前記モード認識手段は、多値で画像データを読み込む多値スキャンモードか否かを認識することを特徴とする請求項３記載の画像読み取り装置。
【請求項７】
原稿における第１面の画像データを読み取る第１のセンサと、
前記第１のセンサにより原稿の第１面の画像データを読み取る際に当該原稿を反転させずに当該原稿の第２面の画像データを読み取ることを可能にするものとして配置される第２のセンサと、
前記第１のセンサにより読み取られた画像データを処理する第１の画像処理回路と、
前記第２のセンサにより読み取られた画像データを処理する第２の画像処理回路と、
前記第１の画像処理回路を用いて原稿の第２面の画像データを処理するかまたは前記第２の画像処理回路を用いて原稿の第２面の画像データを処理するかを選択する信号処理部と
を含む画像読み取り装置。
【請求項８】
前記信号処理部は、第２面の画像データに対する読み取りモードに基づいて選択することを特徴とする請求項７記載の画像読み取り装置。
【請求項９】
前記信号処理部は、第２面の画像データが所定の読み取りモードで読み取られる場合に、前記第１の画像処理回路および前記第２の画像処理回路の両者を用いて第２面の画像データを処理することを特徴とする請求項７記載の画像読み取り装置。
【請求項１０】
前記所定の読み取りモードは、２値で画像データを読み込む２値スキャンの拡大縮小処理であることを特徴とする請求項９記載の画像読み取り装置。
【請求項１１】
原稿における第１面の画像データを入力すると共に、当該第１面の画像データに対する入力が完了する前に当該原稿における第２面の画像データを入力する入力手段と、
前記入力手段により入力された前記第１面の画像データを第１の画像処理回路で処理し、前記第２面の画像データを第２の画像処理回路で並列処理する処理手段とを備え、
前記処理手段は、前記第２面の画像データに対する処理内容に応じて、前記第２の画像処理回路および前記第１の画像処理回路の両者を用いて当該第２面の画像データを処理することを特徴とする画像処理装置。
【請求項１２】
前記処理手段は、２値で読み込まれた前記第２面の画像データに対する拡大縮小処理を施す場合に前記第１の画像処理回路を用いることを特徴とする請求項１１記載の画像処理装置。
【請求項１３】
原稿の第１面の画像データおよび第２面の画像データを処理する画像処理方法であって、
入力される前記第１面の画像データに対して第１の画像処理回路を用いて画像処理を施し、
原稿の前記第２面の画像データに対する読み取りモードを認識し、
認識される前記読み取りモードに基づいて、前記第１の画像処理回路または当該第１の画像処理回路とは異なる第２の画像処理回路を選択し、
選択された前記第１の画像処理回路または前記第２の画像処理回路によって、入力される前記第２面の画像データに対して画像処理を施すことを特徴とする画像処理方法。
【請求項１４】
前記第１の画像処理回路は、第１のセンサからの出力に対して画像処理を施し、
前記第２の画像処理回路は、前記第１のセンサとは異なる第２のセンサからの出力に対して画像処理を施すことを特徴とする請求項１３記載の画像処理方法。
【発明の詳細な説明】
【０００１】
【発明の属する技術分野】
本発明は、原稿上の画像を読み取る画像読み取り装置に係り、より詳しくは両面画像読み取りの機能を備えた画像読み取り装置に関する。
【０００２】
【従来の技術】
従来、複写機やファクシミリ等の読み取り装置、コンピュータ入力用のスキャナ等として、原稿における表裏両面の画像情報をユーザの介在なしに自動的に読み取る画像読み取り装置（自動両面読み取り装置）が用いられている。これらの自動両面読み取り装置としては、原稿反転部にて原稿を表裏反転させて読み取る方法が最も広く採用されている。表裏反転させて画像情報を入力する際には、特定の原稿読み取り部で表面の画像を読み取った後、この原稿を表裏反転させて再びこの特定の原稿読み取り部に搬送し、裏面の画像が読み取られる。
【０００３】
しかし、この表裏反転による自動両面読み取りでは、一旦、原稿を排出した後に反転させて再度、原稿読み取り部に搬送する必要があることから、両面読み取りに際して時間が多くかかり、両面読み取りの生産性が劣ってしまう。そこで、原稿を搬送する原稿パスの表裏両面側に２つのイメージセンサを設け、原稿を表裏反転させることなく、１回の原稿搬送にて原稿の両面を自動的に読み取る技術が検討されている（例えば、特許文献１参照。）。
【０００４】
また、このように、原稿パスの表裏両面側に２つの光学読み取りユニットを配置した場合に、この２つの光学読み取りユニットによって画像を読み取る際の濃度間のずれを生じさせないために、各々白基準板を配置してシェーディング補正を行うことで、表面と裏面との白レベルのばらつきをなくし、濃度差を補正する技術が開示されている（例えば、特許文献２参照。）。
【０００５】
【特許文献１】
特開２０００−３５６８６７号公報（第５頁、図１）
【特許文献２】
特許第２６２２０３９号公報（第２−３頁、図１）
【０００６】
【発明が解決しようとする課題】
ここで、一般に、原稿の読み取りに際しては、例えば、蛍光灯を光源とする光を原稿に照射させ、縮小光学系を介してその反射光を光センサで読み取る方式が採用されている。かかる方式における光センサには、例えば１次元のＣＣＤ（Ｃｈａｒｇｅ  Ｃｏｕｐｌｅｄ  Ｄｅｖｉｃｅ）センサが用いられ、このようなＣＣＤを用いてライン単位での読み取りが実行されている。１次元のＣＣＤを用いた原稿読み取り装置では、このライン方向（スキャンの主走査方向）の１ラインの読み取りが終了すると、原稿を主走査方向とは直交する方向（副走査方向）に微小距離移動し、次のラインを読み取っている。これを原稿サイズ全体に亘って繰り返し、１ページの原稿読み取りを完了させている。
【０００７】
しかし、このような読み取り方式では、幾つかのミラーを用いた縮小光学系を介して反射光が読み取られており、ユニット全体が大きくなりがちであった。特に、上記特許文献２に記載されているように、縮小光学系を有する画像読み取り手段を原稿の搬送路上に対向させて複数配置することは、スペース上の問題から、実際の製品としては好ましいものとは言えない。そこで、かかるスペース上の問題を解決するために、例えばＬＥＤ（Ｌｉｇｈｔ  Ｅｍｉｔｔｉｎｇ  Ｄｉｏｄｅ：発光ダイオード）を光源に利用し、例えばセルフォックレンズを介してリニアセンサで画像を直接読み取るＣＩＳ（Ｃｏｎｔａｃｔ  Ｉｍａｇｅ  Ｓｅｎｓｏｒ）と呼ばれる密着イメージセンサを用いる技術が検討されている。
【０００８】
しかしながら、光源の差やイメージセンサの能力の差、被写界深度の違い等の理由により、縮小光学系を用いたＣＣＤイメージセンサ側とＣＩＳ側とで画質を完全に合わせることが難しく、このＣＣＤイメージセンサによる読み取りとＣＩＳによる読み取りとの両者を用いて原稿の両面を同時に読み取ろうとする場合には、画質合わせの問題が生じてくる。例えば、白黒のコピー画像を出力する場合や、スキャナとして２値のスキャン画像を得るような場合には、大きな問題とはならないが、例えば、スキャナとして多値画像データを得るような場合には、画質の違いが顕著に現れてしまう。また、例えば、カラー色が少ないようなもの（プラスワンカラー等）や、所謂ビジネスカラーとしてカラー出力では画質のずれが目だたないものの、画質が重視されるカタログ画像や写真画像等では、画質のずれが大きく目立ってしまう。
【０００９】
本発明は、以上のような技術的課題を解決するためになされたものであって、その目的とするところは、原稿の読み取りモードに応じて、適切な原稿搬送パスおよび／または画像処理パスを選択することにある。
また他の目的は、原稿の読み取りモードに応じて、生産性（速度）または画質を重視した画像読み取りを実現することにある。
【００１０】
【課題を解決するための手段】
かかる目的のもと、本発明が適用される画像読み取り装置では、縮小光学系を用いたＣＣＤセンサ（ＣＣＤイメージセンサ）および縮小光学系を用いないＣＩＳの２つの画像読み取り部と、原稿の反転機構（反転パス）との両機能を設け、搬送路における反転機構（反転パス）を用いて同一のセンサで表裏両面を読み取る反転両面読み取りと、ＣＣＤセンサ側とＣＩＳ側との両者のセンサを用いて原稿を反転せずに読み取る両面同時読み取りとの両者を選択することができる。また、ＣＣＤセンサ側とＣＩＳ側との両者のセンサからの画像データを処理する第１画像処理回路および第２画像処理回路を設け、表裏の画像データに対して並列処理が可能であると共に、裏面の画像データに対して、最適な画像処理回路を選択できるように構成している。
【００１１】
即ち、本発明が適用される画像読み取り装置は、第１の読み取り手段により第１の方向から原稿の第１面の画像データを読み取り、この第１の読み取り手段による第１の方向とは異なる第２の方向から第２の読み取り手段により原稿における第２面の画像データを読み取る。そして、原稿の第２面の画像データについて第１の読み取り手段で読み取るか第２の読み取り手段で読み取るかを決定手段にて決定し、この決定手段による決定に基づき、読み取り制御手段では、第１の読み取り手段または第２の読み取り手段を用いて原稿の第２面の画像データを読み取る。
【００１２】
ここで、第１の読み取り手段により第１面の画像データが読み取られた原稿を反転させる原稿反転手段を更に備え、読み取り制御手段は、決定手段により原稿の第２面を第１の読み取り手段で読み取ると決定された場合に、原稿反転手段により原稿を反転させて第１の読み取り手段で第２面を読み取ることを特徴とすることができる。
【００１３】
また、原稿の第２面に対する読み取りモードを認識するモード認識手段を更に備え、決定手段は、このモード認識手段による認識に基づいて、第１の読み取り手段および第２の読み取り手段の何れかを用いて第２面の画像データを読み取ることを決定することができる。更に、この第１の読み取り手段により読み取られた画像データを処理する第１の画像処理手段と、第２の読み取り手段により読み取られた画像データを処理する第２の画像処理手段とを備え、モード認識手段による認識に基づいて、第２の読み取り手段により読み取られた第２面の画像データを第１の画像処理手段および第２の画像処理手段の両者を用いて処理することを特徴とすることができる。
【００１４】
他の観点から把えると、本発明が適用される画像読み取り装置は、原稿における第１面の画像データを読み取る第１のセンサと、この第１のセンサにより原稿の第１面の画像データを読み取る際に原稿を反転させずに原稿の第２面の画像データを読み取ることを可能にするものとして配置される第２のセンサと、第１のセンサにより読み取られた画像データを処理する第１の画像処理回路と、第２のセンサにより読み取られた画像データを処理する第２の画像処理回路と、この第１の画像処理回路を用いて原稿の第２面の画像データを処理するかまたは第２の画像処理回路を用いて原稿の第２面の画像データを処理するかを選択する信号処理部とを含む。
【００１５】
ここで、この信号処理部は、第２面の画像データに対する読み取りモードに基づいて、第１の画像処理回路および第２の画像処理回路を選択することを特徴とすることができる。また、この信号処理部は、第２面の画像データが、例えば２値で画像データを読み込む２値スキャンにおける拡大縮小処理等の所定の読み取りモードで読み取られる場合に、第１の画像処理回路および第２の画像処理回路の両者を用いて第２面の画像データを処理することを特徴とすることができる。
【００１６】
一方、本発明が適用される画像処理装置は、原稿における第１面の画像データを入力すると共に、この第１面の画像データに対する入力が完了する前に原稿における第２面の画像データを入力する入力手段と、この入力手段により入力された第１面の画像データを第１の画像処理回路で処理し、第２面の画像データを第２の画像処理回路で並列処理する処理手段とを備え、この処理手段は、第２面の画像データに対する処理内容に応じて、第２の画像処理回路および第１の画像処理回路の両者を用いて第２面の画像データを処理することを特徴とすることができる。
【００１７】
また、本発明は、原稿の第１面の画像データおよび第２面の画像データを処理する画像処理方法であって、入力される第１面の画像データに対して第１の画像処理回路を用いて画像処理を施し、原稿の第２面の画像データに対する読み取りモードを認識し、認識される読み取りモードに基づいて、第１の画像処理回路または第１の画像処理回路とは異なる第２の画像処理回路を選択し、選択された第１の画像処理回路または第２の画像処理回路によって、入力される第２面の画像データに対して画像処理を施すことを特徴としている。ここで、この第１の画像処理回路は、第１のセンサからの出力に対して画像処理を施し、第２の画像処理回路は、第１のセンサとは異なる第２のセンサからの出力に対して画像処理を施すことを特徴としている。
【００１８】
【発明の実施の形態】
以下、添付図面に示す実施の形態に基づいて、本発明を詳細に説明する。
図１は本実施の形態が適用される画像読み取り装置を示した図である。この画像読み取り装置は、積載された原稿束から原稿を順次、搬送する原稿送り装置１０、スキャンによって画像を読み込むスキャナ装置７０、および読み込まれた画像信号を処理する処理装置８０に大別される。
【００１９】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚ずつ捌くリタードロール１５を備えている。最初に原稿が搬送される第１搬送路３１には、一枚ずつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、第１搬送路３１には、搬送される原稿のループ状態に応じて支点を中心として回動するバッフル４１を備えている。更に、プラテンロール１９とアウトロール２０との間には、本実施の形態における第２の読み取り手段であるＣＩＳ（Ｃｏｎｔａｃｔ  Ｉｍａｇｅ  Ｓｅｎｓｏｒ）５０が備えられている。
【００２０】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００２１】
ナジャーロール１３は、待機時にはリフトアップされて退避位置に保持され、原稿搬送時にニップ位置（原稿搬送位置）へ降下して原稿トレイ１１上の最上位の原稿を搬送する。ナジャーロール１３およびフィードロール１４は、フィードクラッチ（図示せず）の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂに押圧されて、第１の読み取り手段を構成するＣＣＤイメージセンサ７８によって下面方向から画像データが読み込まれる。
【００２２】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ（図示せず）がオフの状態でリトラクトされてニップが開放され、インバータパス（第４搬送路３４）へ原稿を導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００２３】
スキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００２４】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換するＣＣＤ（Ｃｈａｒｇｅ  Ｃｏｕｐｌｅｄ  Ｄｅｖｉｃｅ）イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００２５】
ここで、まず、第１プラテンガラス７２Ａに載置された原稿の画像を読み取る場合には、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向（スキャンの主走査方向）の１ラインの読み取りが終了すると、主走査方向とは直交する方向（副走査方向）にフルレートキャリッジ７３を移動させ、原稿の次のラインを読み取る。これを原稿サイズ全体に亘って実行することで、１ページの原稿読み取りを完了させる。
【００２６】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２７】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時（時間の完全一致ではなく、同一の原稿搬送時程度の意味）  に第２のセンサであるＣＩＳ５０によって、原稿の第２面の読み取りを行うことが可能である。即ち、第１のセンサであるＣＣＤイメージセンサ７８と第２のセンサであるＣＩＳ５０とを用いて、搬送路への原稿の一度の搬送で、この原稿における表裏両面の画像を同時に読み取ることを可能としている。
【００２８】
図２は、ＣＩＳ５０を用いた読み取り構造を説明するための図である。図２に示すように、ＣＩＳ５０は、プラテンロール１９とアウトロール２０との間に設けられる。原稿の片面（第１面、表面）は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面（第２面、裏面）の画像が読み込まれる。このＣＩＳ５０は、ガラス５１と、このガラス５１を透過して原稿の第２面に光を照射するＬＥＤ（Ｌｉｇｈｔ  Ｅｍｉｔｔｉｎｇ  Ｄｉｏｄｅ）５２と、ＬＥＤ５２からの反射光を集光するレンズアレイであるセルフォックレンズ５３と、このセルフォックレンズ５３により集光された光を読み取るイメージセンサであるラインセンサ５４を備えている。ラインセンサ５４としては、ＣＣＤやＣＭＯＳセンサ、密着型センサ等を用いることができ、実寸幅（例えばＡ４長手幅２９７ｍｍ）の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。尚、カラー画像を読み込む場合には、ＬＥＤ５２にＲ（赤）Ｇ（緑）Ｂ（青）の３色のＬＥＤ光源を組み合わせ、ラインセンサ５４としてＲＧＢ３色用の３列一組のセンサを用いれば良い。第１面の画像の読み込みと同様に、１次元のラインセンサ５４によって主走査方向の１ライン分を同時に処理した後、搬送される原稿における次の主走査方向の１ラインが読み込まれる。このようにして、搬送される原稿の裏面について、副走査方向に亘って１ページの読み取りを行う。
【００２９】
また、ＣＩＳ５０による画像読み取りに際して、この読み取り部を構成する搬送路に、ＣＩＳ５０の筐体から延びる制御部材５５、制御部材５５によって押し付けられた用紙を突き当てる突き当て部材６０を備えている。また、この突き当て部材６０の下流側にはガイド部材６１が設けられている。制御部材５５および突き当て部材６０は、原稿の搬送路に直交する方向に（即ち、原稿送り装置の前面から後面の方向に）、原稿送り装置の前面から後面まで、搬送路の位置に対応して設けられている。
【００３０】
更に、ＣＩＳ５０は、光学結像レンズにセルフォックレンズ５３を採用していることから、焦点（被写界）深度が±０．３ｍｍ程度と浅く、スキャナ装置７０を用いた場合に比べて約１／１３以下の深度となっている。そのために、ＣＩＳ５０による読み取りに際しては、原稿の読み取り位置を所定の狭い範囲内に定めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２の二点鎖線矢印は、制御部材５５を設けた場合の用紙の動きを示したものである。搬送される用紙は、原稿が突き当て部材６０に押し当てられて搬送されることが理解できる。即ち、制御部材５５によって搬送される原稿を突き当て部材６０に押し当てられた状態にて原稿面を読み取ることで、被写界深度の浅いＣＩＳ５０を用いた場合のピントの甘さを改善している。
【００３１】
尚、本実施の形態では、ＣＩＳ５０の読み取り基準面に、シェーディング補正のための白色基準板の配置を必要としていない。上述したように、原稿は突き当て部材６０に突き当てられて搬送されることから、原稿は突き当て部材６０にゴミ等が付着し易い。ゴミ等が付着した状態にてシェーディング補正を施すと、筋発生が懸念される。そのために、例えば、後述する処理装置８０の内部に、製品出荷時等に測定されたシェーディングデータを予め格納しておき、この格納されているシェーディングデータに基づいてシェーディング補正をするように構成することもできる。
【００３２】
図３は、処理装置８０によって実行される処理の一例を示したフローチャートである。第１のセンサを用いた第１の読み取り手段であるスキャナ装置７０と、第２のセンサを用いた第２の読み取り手段であるＣＩＳ５０とでは、ラインセンサ５４とＣＣＤイメージセンサ７８との違い、光源である照明ランプ７４とＬＥＤ５２との違い、上述した光学特性や温度特性の異なり等、構造上の違いが存在する。そのために、このスキャナ装置７０とＣＩＳ５０とを用いて表裏両面を読み取った場合には、表裏両面の画質を完全に一致させることが難しく、特に、読み取りモードによっては、表面（第１面）と裏面（第２面）との画像出力に差異を生じてしまう。そこで、本実施の形態では、読み取りモードに応じて、読み取りパスおよび処理回路（画像パス）を切り替えることを特徴としている。図３では、この読み取りパスの切り替え処理を示している。
【００３３】
読み取りパスの切り替え処理に際して、処理装置８０では、まず、搬送される原稿が片面原稿か否かが判断される（ステップ１０１）。この判断は、例えば、スキャナ装置７０上に設けられたコントロールパネル（図示せず）を用いたユーザからの選択や、例えば自動選択読み取り機能が働いている場合には、画像読み込み前の第１搬送路３１上の搬送路両側に設けられたセンサ（図示せず）等によって認識することができる。また、ホストシステムからの要請や、ネットワーク等を介したユーザからの選択なども考えられる。このステップ１０１で片面原稿であると判断される場合には、１パス（反転パスを用いない１回だけの原稿搬送パス）による片面読み取りが行われる（ステップ１０２）。この１パスによる片面読み取りでは、ＣＣＤイメージセンサ７８による読み取りとＣＩＳ５０による読み取りとをどちらを選択しても良いが、より高画質な画像読み取りを実現する場合には、ＣＣＤイメージセンサ７８による読み取りを選択することが好ましい。かかる際には、原稿トレイ１１上に、上向きに片面の原稿部分が存在すると共に原稿の１ページ目が上に来るように載置し、この１ページ目から原稿を搬送して順に読み取られる。
【００３４】
ここで、ステップ１０１で片面原稿ではない場合、即ち、両面原稿である場合には、複写機としての読み取り（コピー読み取り）か否かが判断される（ステップ１０３）。このステップ１０３の判断は、主にユーザからのコピー機能の選択によって判断される。複写（コピー）でない場合、例えば、コンピュータ装置に対する画像データ入力であるスキャナとして用いられる場合には、ステップ１０４へ移行する。複写である場合には、生産性の向上を主とする第２の両面読み取りモードとして、反転パスを用いない１パスによる両面同時読み取りが行われる（ステップ１０６）。即ち、第１のセンサであるＣＣＤイメージセンサ７８によって第１面を読み取り、この読み取りの搬送パスに際して、同じ搬送パスにてＣＩＳ５０による第２面の読み取りが行われる。これによって、同一の読み取り部へ原稿を２度、搬送する必要がなく、原稿読み取りスピードを向上させることができると共に、搬送パスが簡潔化されることで、原稿づまり（ＪＡＭ）等の原稿搬送トラブルを抑制することができる。尚、「同時読み取り」とは、必ずしも時間的に一致する場合を意味するものではなく、両面を１回のパスにてほぼ同時期に読み取るという意味である。
【００３５】
ステップ１０４では、多値モードのスキャンか否かが判断される。多値モードのスキャンか、２値モードのスキャンかは、例えば、ユーザによる処理モードの選択（階調表現が必要か否か、写真モードか否か）に基づき、また、例えばテキスト画像かイメージ画像かを自動認識等によって判断される。多値モードのスキャンでない場合、即ち２値モードのスキャンのときには、上述したステップ１０６へ移行する。多値モードのスキャンである場合には、第１の両面読み取りモードである、反転パスによる両面読み取りが実行される（ステップ１０５）。即ちＣＩＳ５０による読み取りを行わず、原稿の第１面および原稿の第２面を共に第１のセンサであるＣＣＤイメージセンサ７８によって読み取るのである。これによって、原稿の第１面および原稿の第２面に対し、画質に差がなく、共に、同じ読み取り手段を用いた高画質な両面読み取りが可能となる。
【００３６】
このステップ１０３にて、複写か否かが判断され、複写の場合に１パスによる両面同時読み取りとしたのは、例えば白黒画像を画像出力装置（ＩＯＴ）で複写出力する場合には、第１の読み取り手段と第２の読み取り手段との間の画質の差異が大きな問題とならないことから、生産性（読み取り速度）を重視したためである。また、多値スキャンではなく２値スキャンである場合にも同様に画質の差異が大きな問題とならないことから、生産性を重視した。一方、例え白黒画像であってもハーフトーンなどの多値画像データをスキャン出力する場合には、コピー出力と異なり、画質の差異が顕著に現れる。そこで、速度（生産性）を犠牲にして画質を重視する観点から、ステップ１０５の、反転パスによる両面読み取りを採用している。
【００３７】
次に、原稿の搬送方法について、図４および図５を用いて説明する。
図４（ａ），（ｂ）は、図３のステップ１０２に示した１パスによる片面読み取りの原稿パスと、ステップ１０６に示した１パスによる両面同時読み取りの原稿パスを示した図である。図４（ａ）に示すように、原稿トレイ１１に載置された原稿は、ナジャーロール１３、フィードロール１４およびリタードロール１５、テイクアウェイロール１６によって、第１搬送路３１に順次、供給される。供給された原稿は、図４（ｂ）に示すように、プラテンロール１９の読み取り部およびＣＩＳ５０の読み取り部を経由して、搬送路切替ゲート４２によって第２搬送路３２に移動し、排出トレイ４０に、順次、排出される。片面読み取りの場合には、プラテンロール１９の箇所にて、下方から、図１に示すスキャナ装置７０のＣＣＤイメージセンサ７８を用いた読み取りがなされる。但し、前述のように、ＣＩＳ５０を用いた片面読み取りも可能である。また、１パスによる両面同時読み取りの場合には、スキャナ装置７０のＣＣＤイメージセンサ７８を用いて第１面を読み取り、同一搬送時にＣＩＳ５０を用いて第２面を読み取る。これによって、１回の原稿パスによって両面の原稿読み取りを行うことが可能となる。
【００３８】
図５（ａ）〜（ｄ）は、図３のステップ１０５に示した反転パスによる両面読み取りを説明するための図である。図５（ａ）に示すように、原稿トレイ１１に載置された原稿は、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図５（ｂ）に示すように、インバータロール２２およびインバータピンチロール２３によってスイッチバックし、第５搬送路３５に供給される。
【００３９】
第５搬送路３５に供給された原稿は、再度、第１搬送路３１に供給される。そして、図５（ｃ）に示すように、原稿がスキャナ装置７０のＣＣＤイメージセンサ７８によって下方から読み取られる。このとき、原稿は、図５（ａ）に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図５（ｃ）に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図５（ｄ）に示すように出口切替ゲート４３によって第６搬送路３６を経由し排出トレイ４０に排出される。これによって、原稿における表裏両面の画像を順次、読み取る反転パスによる両面読み取りにおいて、読み取り後の原稿のページ順を揃えることが可能となる。
【００４０】
次に、図１に示す処理装置８０について説明する。
図６は、処理装置８０を説明するためのブロック図である。本実施の形態が適用される処理装置８０は、大きく、センサ（ＣＣＤイメージセンサ７８およびラインセンサ５４）から得られた画像情報を処理する信号処理部８１と、原稿送り装置１０およびスキャナ装置７０を制御する制御部９０とを備えている。信号処理部８１は、表面（第１面）を読み取るＣＣＤイメージセンサ７８および裏面（第２面）を読み取るＣＩＳ５０のラインセンサ５４からの各々の出力に対して所定の画像処理を施している。この信号処理部８１は、ラインセンサ５４からの出力に対してアナログ信号の処理を行うＡＦＥ（Ａｎａｌｏｇ  Ｆｒｏｎｔ  Ｅｎｄ）８２、アナログ信号をディジタル信号に変換するＡＤＣ（Ａｎａｌｏｇ  ｔｏ  Ｄｉｇｉｔａｌ  Ｃｏｎｖｅｒｔｅｒ）８３を有している。但し、これらの機能は、ＣＩＳ５０の内部にて処理されるように構成することもできる。また、信号処理部８１は、ディジタル信号に対してシェーディング補正やオフセット補正等の各種処理を施す画像処理回路が２系統、備えられており、表面（第１面）の画像データに対して画像処理を施す第１画像処理回路１００、裏面（第２面）の画像データに対して画像処理を施す第２画像処理回路２００を備えている。これらの画像処理回路からの出力は、例えばプリンタ等のＩＯＴ（Ｉｍａｇｅ  Ｏｕｔｐｕｔ  Ｔｅｒｍｉｎａｌ）や、パーソナルコンピュータ（ＰＣ）等のホストシステムへ出力される。更に、この信号処理部８１は、原稿の第２面の画像データを、第１画像処理回路１００を用いて処理するか、第２画像処理回路２００を用いて処理するか、を選択する機能も備えている。
【００４１】
一方、制御部９０は、各種両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ／ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータのオン／オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。読み取りモードとしては、前述のような、１パス（反転なし）による両面同時読み取りモード、反転パスによる反転両面読み取りモード、１パスによる片面読み取りモード等が考えられる。
【００４２】
次に、各画像処理回路（第１画像処理回路１００および第２画像処理回路２００）の機能および動作について説明する。
図７は、信号処理部８１の構成を更に詳述したブロック図である。第１画像処理回路１００は、全体の制御を行う第１ＣＰＵ１０１、ＣＣＤイメージセンサ７８から出力された表面画像データに対してサンプルホールドやオフセット調整、Ａ／Ｄ変換等を行うＡＦＥ１０２、また、表裏の画像データを選択して出力するためのセレクタ（ＳＥＬ）１０３を備えている。更に、シェーディング補正やライン補間（ＲＧＢの位置ずれ補間）等を実行するＡ集積回路（ＡＳＩＣ−Ａ）１１０、ＭＴＦフィルタや縮拡処理、２値化処理等を実行するＢ集積回路（ＡＳＩＣ−Ｂ）１３０を備えている。
【００４３】
一方、第２画像処理回路２００は、全体の制御を行う第２ＣＰＵ２０１、例えば工場出荷時の白基準シェーディングデータや、ＬＥＤ光量補正値を保存（格納）するフラッシュＲＯＭ（ＦＲＯＭ）２０２、ＣＩＳ５０から得られた裏面画像データに対して各種画像処理を施すＣ集積回路（ＡＳＩＣ−Ｃ）２１０、画像処理が施された裏面画像データを一旦、保持し、所定の出力タイミングに合わせてセレクタ１０３へ出力するためのメモリ２０３を備えている。本実施の形態では、裏面読み取り用の密着型イメージセンサであるＣＩＳ５０で、工場出荷時に予め得られた白基準のシェーディングデータをフラッシュＲＯＭ（ＦＲＯＭ）２０２に保存している。
【００４４】
本実施の形態では、第２面（裏面）の画像処理を行うに際して、図７に示すように、３種類の画像パスが設けられている。１つ目は、第１画像処理回路１００だけを利用する（ｉ）の画像パスである。２つ目は、第２画像処理回路２００により画像処理を施し、第１画像処理回路１００はセレクタ１０３だけを経由して実質的に画像処理として第１画像処理回路１００を用いない（ｉｉ）の画像パスである。３つ目は、第２画像処理回路２００により画像処理を施した後、第１画像処理回路１００による画像処理も実施する（ｉｉｉ）の画像パスである。これらの画像パスの切り替えについては、後に詳述する。
【００４５】
図８は、Ａ集積回路（ＡＳＩＣ−Ａ）１１０の構成を示したブロック図である。Ａ集積回路１１０は、ＣＣＤイメージセンサ７８におけるシェーディングデータを補正するためのシェーディング補正部１１１、ＲＧＢ３色のラインセンサの位置を補正するＧＡＰ補正部１１２、黒線を補正する黒線補正部１１３、入力側階調補正をするＥＮＬ１１５、ＢＧＲ→Ｌ＊，ａ＊，ｂ＊に変換する色空間変換１１６を備えている。また、ＣＣＤイメージセンサ７８及びＡＦＥ１０２の駆動クロックを生成するタイミング生成部１１９、第１ＣＰＵ１０１との通信を行うＣＰＵインタフェース１２０を備えている。
【００４６】
図９は、Ｂ集積回路（ＡＳＩＣ−Ｂ）１３０の構成を示したブロック図である。Ｂ集積回路１３０は、ＭＴＦ補正や平滑化を行うディジタルフィルタ部１３１、原稿搬送方向である副走査方向に対して縮小処理を施す副走査縮小部１３２、原稿搬送方向に直交する方向であってＣＣＤイメージセンサ７８の走査方向である主走査方向に対する拡大縮小処理を施す主走査拡大縮小部１３３、読み取り原稿の下地を除去する下地除去部１３５、Ｌ＊，ａ＊，ｂ＊→Ｙ，Ｍ，Ｃ，Ｋに色空間変換するルックアップテーブル（ＬＵＴ）１３６を備えている。また、読み取り原稿の下地を検知する下地検知部１３９、第１ＣＰＵ１０１との通信を行うＣＰＵインタフェース１４０を備えている。
【００４７】
図１０は、Ｃ集積回路（ＡＳＩＣ−Ｃ）２１０の構成を示したブロック図である。Ｃ集積回路２１０は、Ｏｄｄ／Ｅｖｎからなる２チャンネルの出力信号の合成を行うマルチプレックス（ＭＰＸ）回路２１１、シェーディングメモリ２２１に格納されたデータに基づいてシェーディング補正を施すシェーディング補正部２１２、入力階調補正を実行するＬ＊変換（ＬＵＴ）部２１３、副走査方向に対して縮小処理を施す副走査縮小部２１４、主走査方向に対する拡大縮小処理を施す主走査拡大縮小部２１５、ＭＴＦ補正や平滑化を行うフィルタ部２１６、下地検知部２２２による下地検知結果に基づいて下地除去を行う下地除去部２１７、出力階調補正を行うルックアップテーブル（ＬＵＴ）２１８、２値化を行う誤差拡散処理部２１９を備えている。また、第２ＣＰＵ２０１との通信を行うＣＰＵインタフェース２２３を備えている。
【００４８】
次に、図７にて説明した画像パスの切り替えについて詳述する。
図１１（ａ），（ｂ）は、画像パスの切り替え処理を説明するための図である。処理装置８０の信号処理部８１では、読み取りのモードに基づいて、図７に示したような３種類の画像パスが選択される。図１１（ａ）に示すように、ここでは、まず、複写（コピー）モードかスキャナ読み込み（スキャン）モードか否かが判断される（ステップ２０１）。読み取りが複写（コピー）モードである場合には、図７に示す（ｉｉ）の画像パス、即ち、ＣＣＤイメージセンサ７８によって読み取られた第１面の読み取り画像が第１画像処理回路１００で処理され、ＣＩＳ５０のラインセンサ５４で読み取られた第２面の読み取り画像が第２画像処理回路２００で処理される（ステップ２０４）。これらが互いにパラレルで同時処理（並列処理）される。互いに画像処理された画像データは、セレクタ１０３によって切り替えられて出力される。第１画像処理回路１００よび第２画像処理回路２００で並列処理することで、画像出力の速度を向上させることが可能となり、読み取りの生産性を上げることが可能となる。
【００４９】
ステップ２０１でスキャナ読み込み（スキャン）モードである場合には、多値スキャンか２値スキャンかが判断される（ステップ２０２）。２値は、通常、白と黒とで表現される。一方、多値は、例えば白黒であっても濃度表現がなされるものであり、例えば８ビットであれば２５６階調の濃淡が表現される。多値スキャンのモードである場合には、図７に示す（ｉ）の画像パス、即ち、表面および裏面の画像データをＣＣＤイメージセンサ７８によって読み取り、表裏両面を第１画像処理回路１００で処理する（ステップ２０６）。このように構成することで、例えば第１画像処理回路１００の処理能力だけを高くし、第２画像処理回路２００の処理能力を低く構成した場合であっても、画質を重視する両面読み取りを行うことが可能となる。言い換えると、第２画像処理回路２００の機能を抑えることが可能となり、画像読み取り装置全体のコストを低減することができる。また、このようにコストを低減した場合であっても、表裏両面に対して、第１画像処理回路１００を用いた高画質の画像処理が実現できる。
【００５０】
ステップ２０２で２値スキャンである場合には、等倍（倍率１００％）か拡大縮小（拡縮）か、が判断される（ステップ２０３）。２値スキャンの等倍モードである場合には、前述したステップ２０４の処理、即ち、図７に示す（ｉｉ）の画像パスが選択される。２値スキャンの拡大縮小（拡縮）モードである場合には、図７に示す（ｉｉｉ）の画像パスが選択される（ステップ２０５）。即ち、ＣＣＤイメージセンサ７８によって読み取られた第１面の読み取り画像が第１画像処理回路１００で処理され、一方、ＣＩＳ５０のラインセンサ５４で読み取られた第２面の読み取り画像が第２画像処理回路２００で処理されるが、第２面の読み取り画像は、第１画像処理回路１００のＢ集積回路（ＡＳＩＣ−Ｂ）１３０を経由して出力される。このＢ集積回路（ＡＳＩＣ−Ｂ）１３０では、２値画像についての拡大縮小処理が実行される。
【００５１】
図１１（ｂ）は、図３に示したフローチャートおよび図１１（ａ）に示したフローチャートによって実行される処理をまとめて説明するための図である。図１１（ｂ）では、４種類のモードを例示され、読み取りパスの選択と、画像処理回路の選択が示されている。読み取った画像データが画像出力装置（ＩＯＴ）に提供されてプリントアウトされる、所謂コピー（複写）モードの読み取りの場合には、読み取りパスは、スキャナ装置７０とＣＩＳ５０との両者を用いた１パス同時両面が選択され、画像処理回路は、図７に示す（ｉｉ）の画像パス（並列処理パス）が選択される。また、多値スキャンモードの場合には、スキャナ装置７０だけを用いた反転パスが選択され、画像処理回路は、図７に示す（ｉ）の画像パス（第１画像処理回路１００を連続して使用するパス）が選択される。
【００５２】
一方、２値スキャン（１００％等倍）の場合には、１パス同時両面が選択され、図７に示す（ｉｉ）の画像パス（並列処理パス）が選択される。また、２値スキャン（拡縮）の場合には、１パス同時両面が選択され、図７に示す（ｉｉｉ）の画像パス（並列処理が行われた後、第２面（裏面）については処理の一部を第１画像処理回路１００によって処理するパス）が選択される。
【００５３】
以上、詳述したように、本実施の形態では、機能、要求に応じて、読み取りパスと画像パスとを選択している。これによって、生産性（速度）を重視するか画質を重視するか等の各特性を生かした画像読み取りが可能となる。また、第２のセンサであるＣＩＳ５０による読み取り手段では、白色基準板を用いたシェーディング補正を行わないように構成することができるが、本実施の形態によれば、このようなシェーディング補正を実行しない読み取り装置を備えた場合であっても、原稿搬送パスおよび画像処理のパスを選択することによって、表裏両面の画質を損なうことなく、両面画像を読み取ることが可能となる。
【００５４】
【発明の効果】
このように、本発明によれば、原稿の読み取りモードに応じて、適切な原稿搬送パスおよび／または画像処理パスを選択することができ、例えば生産性または画質を重視した画像読み取りを実現することができる。
【図面の簡単な説明】
【図１】本実施の形態が適用される画像読み取り装置を示した図である。
【図２】ＣＩＳを用いた読み取り構造を説明するための図である。
【図３】処理装置によって実行される処理の一例を示したフローチャートである。
【図４】（ａ），（ｂ）は、１パスによる片面読み取りの原稿パスと、１パスによる両面同時読み取りの原稿パスを示した図である。
【図５】（ａ）〜（ｄ）は、図３のステップ１０５に示した反転パスによる両面読み取りを説明するための図である。
【図６】処理装置を説明するためのブロック図である。
【図７】信号処理部の構成を更に詳述したブロック図である。
【図８】Ａ集積回路（ＡＳＩＣ−Ａ）の構成を示したブロック図である。
【図９】Ｂ集積回路（ＡＳＩＣ−Ｂ）の構成を示したブロック図である。
【図１０】Ｃ集積回路（ＡＳＩＣ−Ｃ）の構成を示したブロック図である。
【図１１】（ａ），（ｂ）は、画像パスの切り替え処理を説明するための図である。
【符号の説明】
１０…原稿送り装置、１１…原稿トレイ、１３…ナジャーロール、１９…プラテンロール、３１…第１搬送路、５０…ＣＩＳ（Ｃｏｎｔａｃｔ  Ｉｍａｇｅ  Ｓｅｎｓｏｒ）、５２…ＬＥＤ、５４…ラインセンサ、６０…突き当て部材、７０…スキャナ装置、７２Ｂ…第２プラテンガラス、７８…ＣＣＤ（Ｃｈａｒｇｅ  Ｃｏｕｐｌｅｄ  Ｄｅｖｉｃｅ）イメージセンサ、８０…処理装置、８１…信号処理部、９０…制御部、１００…第１画像処理回路、１０１…第１ＣＰＵ、１０３…セレクタ（ＳＥＬ）、１１０…Ａ集積回路（ＡＳＩＣ−Ａ）、１３０…Ｂ集積回路（ＡＳＩＣ−Ｂ）、２００…第２画像処理回路、２０１…第２ＣＰＵ、２０２…フラッシュＲＯＭ（ＦＲＯＭ）、２１０…Ｃ集積回路（ＡＳＩＣ−Ｃ）
【図１】
2005033465.tif 000003
【図２】
2005033465.tif 000004
【図３】
2005033465.tif 000005
【図４】
2005033465.tif 000006
【図５】
2005033465.tif 000007
【図６】
2005033465.tif 000008
【図７】
2005033465.tif 000009
【図８】
2005033465.tif 000010
【図９】
2005033465.tif 000011
【図１０】
2005033465.tif 000012
【図１１】
2005033465.tif 000013